【手続補正書】
【提出日】平成17年9月21日(2005.9.21)
【手続補正１】
【補正対象書類名】特許請求の範囲
【補正対象項目名】請求項５４
【補正方法】変更
【補正の内容】
【請求項５４】
前記参加者リストが、前記参加者識別の少なくとも１つの連絡先情報を含み、前記システムが、さらに、前記第１通信プラットフォームを使用する前記少なくとも１つの参加者識別との通信セッションを可能にするために前記連絡先情報を使用する手段を含む、請求項４１に記載のシステム。
【手続補正２】
【補正対象書類名】特許請求の範囲
【補正対象項目名】請求項５５
【補正方法】変更
【補正の内容】
【請求項５５】
前記参加者リストが、前記参加者識別の少なくとも１つの連絡先情報を含み、前記システムが、さらに、第２通信プラットフォームを使用する前記少なくとも１つの参加者識別との通信セッションを可能にするために前記連絡先情報を使用する手段を含む、請求項４１に記載のシステム。
【手続補正３】
【補正対象書類名】明細書
【補正対象項目名】００９５
【補正方法】変更
【補正の内容】
【００９５】
ＩＭセッションが成功裡に確立された（ステップ６３２）時に、送信側６０２ａおよび受信側６０２ｂが、実質的にリアル・タイムで通信を交換することができる。一実施形態で、受信側６０２ｂによって、送信側６０２ａから受信したインスタント・メッセージが表示される（ステップ６３４）。図７を参照すると、送信側６０２ａおよび／または受信側６０２ｂによって表示することができるＵＩ７００に、ＩＭセッションの実行中トランスクリプトが表示されるＩＭウィンドウ７０５と、インスタント・メッセージのテキストが入力されるテキスト・メッセージ領域７１０が含まれる。この例では、ＩＭセッションに、第１スクリーン・ネーム（ProductRep）を有する第１加入者からの第１インスタント・メッセージ７０６と、第２スクリーン・ネーム（Subscriber）を有する第２加入者からの第２インスタント・メッセージ７０７が含まれる。この例の第１および第２の加入者は、それぞれがインスタント・メッセージを送信し、受信しているが、以下の説明は、送信側６０２ａに関連する第１加入者および受信側６０２ｂに関連する第２加入者に関して提供される。
【手続補正４】
【補正対象書類名】明細書
【補正対象項目名】０１０５
【補正方法】変更
【補正の内容】
【０１０５】
もう１つの例で、ＩＭセッションが完了する時、あるいは送信側６０２ａまたは受信側６０２ｂがホスト６０４から切断される時に、各参加者のスクリーン・ネームを、最も最近のＩＭ連絡先のリストと比較することができる。スクリーン・ネームが、既にリストに現れていない場合には、スクリーン・ネームが、追加され、リストでＮ個の異なるスクリーン・ネームだけを維持する必要がある場合に、最も最近でないＩＭ連絡先（すなわち、最も古いＩＭ連絡先）が、リストから除去され、そうでない場合には、最も最近でないＩＭ連絡先を単純に降格することができる。スクリーン・ネームが、既にリストに現れている場合には、リストを並べ変え、その結果、そのスクリーン・ネームがリストの最上部になるようにする。どちらの場合でも、最終的なリストに、最も最近のＩＭセッションの順序でリストされたＮ個の異なるスクリーン・ネームが含まれる。一実施形態で、最も最近にクローズされたＩＭセッションの最も最近のＩＭ連絡先だけがリストに含まれるように、ＩＭセッションが完了した時だけあるいは送信側６０２ａまたは受信側６０２ｂのいずれかがホスト６０４から切断される時だけ、各参加者のスクリーン・ネームを最も最近のＩＭ連絡先のリストと比較することができる。
【手続補正５】
【補正対象書類名】明細書
【補正対象項目名】０１１８
【補正方法】変更
【補正の内容】
【０１１８】
Onlineボックス８４０に、１つまたは複数のオンライン・リストが含まれ、各リストが１つのＩＭグループに対応する。例えば、Onlineボックス８４０に、Recent Contactsリスト８４２、Buddiesリスト８４６、Co-Workersリスト８５０、およびFamilyリスト８５４が含まれる。複数のこれらのオンライン・リスト（例えば、８４６、８５０、および８５４）に、現在オンラインである、ＩＭグループ・メンバに対応する１つまたは複数のスクリーン・ネームが含まれる。図９の実施形態では、Recent Contactsリスト８４２によって、あるオンラインのRecent Contactsメンバ８４４が識別され、Buddiesリスト８４８によって、あるオンラインのBuddiesメンバ８４６が識別され、Co-Workersリスト８５０によって、あるオンラインのCo-Workersメンバ８５２が識別され、Familyリスト８５４によって、あるオンラインのFamilyメンバ８５６が識別される。Onlineボックス８４０には、１つまたは複数のＩＭグループからのオフライン・メンバ８６０を別々に（図示せず）または集合的に識別するOfflineリスト８５８も含まれる。Onlineボックス８４０には、さらに、ＩＭウィンドウの表示、チャット・ルームに入る誘いの送信、スクリーン・ネームに関連するプロファイル情報の検索などのＩＭ機能を実行するオンライン・ボタン８６２が含まれる。
【手続補正６】
【補正対象書類名】明細書
【補正対象項目名】０１２２
【補正方法】変更
【補正の内容】
【０１２２】
さらに、Recent Contactsグループ８１２内のスクリーン・ネームの順序を、セッション・クローズまたは切断の相対時刻に基づいて再配置することができる。例えば、Employee Xとの第１ＩＭセッションがオープンされ、クローズされ、その後、Employee Yとの第２セッションがオープンされ、クローズされ、その後、Employee Xとの第３セッションがオープンされ、クローズされると仮定する。この場合に、第３ＩＭセッションが開始される前に、Recent Contactsグループ８１２で、Employee YをEmployee Xの前に置くことができる。というのは、第２ＩＭセッションが、第１ＩＭセッションの後にオープンされ、かつ／またはクローズされるからである。しかし、第３ＩＭセッションの後に、この順序が逆転されて、Employee Yとのセッションより最近に行われたEmployee XとのＩＭセッション（第３）のオープンおよび／またはクローズを反映することができる。
これらの実施形態のどれにおいても、Recent Contactsグループ８１２に、他のグループに含まれない特定の人のスクリーン・ネームだけを含めることができる。
【手続補正７】
【補正対象書類名】明細書
【補正対象項目名】０１４５
【補正方法】変更
【補正の内容】
【０１４５】
同様に、例えば、電子メールであれ他の形であれ、通信が最近に行われたかクローズされた相手の識別に関して、Recent E-mail Contactsグループ１４１４を受動的に構成して、電子メール・セッションが最近に確立されたかクローズ／切断された相手の実体との通信を確立するのに有用な識別子（例えば、スクリーン・ネームエイリアス、または名前）を表示することができる。この情報に、実体の電子メール・アドレスを含めることができ、あるいは、電子メール以外のタイプのセッション（例えば、ＩＭ、VoIPなど）の連絡先情報を反映する他の情報を含めることができる。
【手続補正８】
【補正対象書類名】明細書
【補正対象項目名】０１４６
【補正方法】変更
【補正の内容】
【０１４６】
同様に、例えば、VoIPであれ他の形であれ、通信が最近に行われたかクローズされた相手の識別に関して、Recent Voice over IP Contactsグループ１４１６を受動的に構成して、VoIPセッションが最近に確立されたかクローズ／切断された相手の実体との通信を確立するのに有用な識別子（例えば、スクリーン・ネームエイリアス、または名前）を表示することができる。この情報に、VoIPセッションを確立する情報を含めることができ、あるいは、VoIP以外のタイプのセッション（例えば、ＩＭ、電子メールなど）の連絡先情報を反映する他の情報を含めることができる。